(57)【特許請求の範囲】
【請求項１】
雨樋の吊金具を介して折板屋根の山部から吊下手段で下垂される雨樋取付構造であって、
前記吊下手段は垂直材と補強斜材から成り、前記垂直材は丸棒材で両端に形成された雄ネジ部が前記吊金具と山部に貫通してそれぞれ一対のナットで固定され、
帯状板で形成される前記補強斜材の上端部に備える水平部は前記山部に沿ってその一端を前記垂直材の上端部から離れた位置で前記補強斜材の上端部と連結して他端を前記垂直材の上端部側に延設し、前記補強斜材の下端部に備える水平部は孔とこの孔を囲むスリーブ材とを備え前記孔に挿入された前記垂直材に螺合するナットで固定され、
前記補強斜材の上端部に備える水平部は前記他端で折曲げられ前記補強斜材の上端部を越える位置まで延設されることを特徴とする雨樋取付構造。
【請求項２】
請求項１に記載の雨樋取付構造であって、前記補強斜材の下端部の水平部は前記帯状板を連続的にコ字状に折り曲げて形成され、この二箇所の水平部に前記孔が形成されることを特徴とする雨樋取付構造。
【請求項３】
請求項１又は請求項２に記載の雨樋取付構造であって、前記補強斜材の水平部が前記山部の内法と同じ幅で形成されることを特徴とする雨樋取付構造。
【発明の詳細な説明】
【技術分野】
【０００１】
本発明は、建築物の折板屋根に取付けられる雨樋取付構造に関し、詳しくは、折板屋根から吊下げる大型雨樋が施工時や強風時に揺れないように安定させる雨樋取付構造に関する。
【背景技術】
【０００２】
従来、大型雨樋を折板屋根に取付ける方法として吊下手段を用いる構造が知られている。このような雨樋取付構造は例えば特許文献１に開示されている。
【０００３】
図８に示すように、特許文献１の雨樋取付構造３１は、下端部分に吊金具１が固着された垂直材２の上端部分を折板屋根３の山部４に固定するとともに吊金具１は補強斜材５で補強される。
【０００４】
補強斜材５は帯状材で形成され、補強斜材５の一端には略コ字型に折曲した係合部１０が形成され、この係合部１０を前記垂直材２の上端部分から離れた位置で折板屋根３の山部４の先端縁に蝶ネジ３２によって固定する。  
補強斜材５の他端には補強斜材５の後端部分の側面に、合成樹脂で一体に形成された結合具６が軸ピン３３を介して枢着される。結合具６は上下に貫通し側方へ開口する側方開口８を持つ凹部７を備え、この凹部７をその側方開口８から前記垂直材２の中程部分に嵌着させる。
【０００５】
前記垂直材２が側方開口８から挿入されると、側方開口８は結合具６の弾性に抗して拡開するとともに、前記垂直材２が凹部７内に嵌着されると側方開口８は弾性復元力によって縮閉する。このため、前記垂直材２が凹部７内に嵌着された状態で、凹部７の内周面に前記垂直材２の雄ネジ９が形成された外周面が食い込むように係止される。
【０００６】
このように、前記垂直材２の中程部分と折板屋根３の前記垂直材２の上端部分から離れた位置との間に補強斜材５が架設固定されるため、前記垂直材２は略鉛直状となって振れを確実に防止することができる。
【０００７】
さらに、補強斜材５の結合具６に上下に貫通し側方へ開口した凹部７が形成されるので、施工時に、この凹部７をその側方開口８から垂直材２に嵌着することで補強斜材５を簡単に取付けることができる。また、補強斜材５の一端に略コ字型に折曲した係合部１０が形成されているので、係合部１０を折板屋根３の山部４の先端縁に係止させて簡単且つ確実に結合固定することができる。
【特許文献１】特開２００１−２７９８８７号公報
【発明の開示】
【発明が解決しようとする課題】
【０００８】
ところが、補強斜材５の一端に形成される係合部１０と蝶ネジ３２が必要になるので加工が複雑でコストアップに繋がるという問題があった。
【０００９】
そこで、本発明はかかる従来技術の問題に鑑みなされたものであって、簡単な構造で取付容易な吊下手段を用いて、施工時や強風時でも揺れにくく且つ変形し難い安定した雨樋取付構造を提供することを目的とする。
【課題を解決するための手段】
【００１０】
請求項１の発明は、雨樋の吊金具を介して折板屋根の山部から吊下手段で下垂される雨樋取付構造であって、前記吊下手段は垂直材と補強斜材から成り、前記垂直材は丸棒材で両端に形成された雄ネジ部が前記吊金具と山部に貫通してそれぞれ一対のナットで固定され、帯状板で形成される前記補強斜材の上端部に備える水平部は前記山部に沿ってその一端を前記垂直材の上端部から離れた位置で前記補強斜材の上端部と連結して他端を前記垂直材の上端部側に延設し、前記補強斜材の下端部に備える水平部は孔とこの孔を囲むスリーブ材とを備え前記孔に挿入された前記垂直材に螺合するナットで固定され、前記補強斜材の上端部に備える水平部は前記他端で折曲げられ前記補強斜材の上端部を越える位置まで延設されることを特徴としている。
【００１２】
請求項２の発明は、請求項１に記載の雨樋取付構造であって、前記補強斜材の下端部の水平部は前記帯状板を連続的にコ字状に折り曲げて形成され、この二箇所の水平部に前記孔が形成されることを特徴としている。
【００１３】
請求項３の発明は、請求項１又は請求項２に記載の雨樋取付構造であって、前記補強斜材の水平部が前記山部の内法と同じ幅で形成されることを特徴としている。
【発明の効果】
【００１４】
請求項１記載の発明によれば、雨樋の吊金具を介して折板屋根の山部から吊下手段で下垂される雨樋取付構造であって、前記吊下手段は垂直材と補強斜材から成り、前記垂直材は丸棒材で両端に形成された雄ネジ部が前記吊金具と山部に貫通してそれぞれ一対のナットで固定され、帯状板で形成される前記補強斜材の上端部に備える水平部は前記山部に沿ってその一端を前記垂直材の上端部から離れた位置で前記補強斜材の上端部と連結して他端を前記垂直材の上端部側に延設し、前記補強斜材の下端部に備える水平部は孔とこの孔を囲むスリーブ材とを備え前記孔に挿入された前記垂直材に螺合するナットで固定されることを特徴としているので、雨樋に横方向に揺れる力が働いた場合でも前記補強斜材の水平部の一端又は他端が折板屋根に当接する。
【００１５】
このため、吊下手段は前記垂直材と前記補強斜材によって折板屋根に実質的に二点支持されるため、吊下手段は雨樋の横方向に対して施工時や強風時でも揺れにくく且つ変形しにくくなり確実に安定する。
【００１６】
また、前記水平部は帯状板で前記垂直材に保持されるための孔を備えるだけの簡単な構造なのでコストダウンができる。
また、前記補強斜材の上端部に備える水平部は前記他端で折曲げられ前記補強斜材の上端部を越える位置まで延設されるので、前記補強斜材の上端部を越える位置が前記補強斜材の上端部からさらに遠い位置となるため、雨樋に横方向に揺れる力が働いた場合でもさらに安定して、前記補強斜材の水平部の一端又は他端が折板屋根に当接するので、吊下手段は雨樋の横方向に対して施工時や強風時でも揺れにくく且つ変形しにくくなり確実に安定する。
【００１８】
請求項２記載の発明によれば、請求項１に記載の雨樋取付構造であって、前記補強斜材の下端部の水平部は前記帯状板を連続的にコ字状に折り曲げて形成され、この二箇所の水平部に前記孔が形成されるので、上下二箇所の水平部によってさらに前記垂直材の揺れを確実に防止できるので、吊下手段は雨樋の横方向に対して施工時や強風時でも揺れにくく且つ変形しにくくなり確実に安定する。
【００１９】
請求項３記載の発明によれば、請求項１又は請求項２に記載の雨樋取付構造であって、前記補強斜材の水平部が前記山部の内法と同じ幅で形成されるので、前記補強斜材の水平部を前記山部の内法に沿わせるだけで水平部を取付位置までガイドしてスライド合わせができるので取付作業が容易である。また、水平部を前記山部の内法によってガタつかないように保持できるので、雨樋の縦方向に対する前記垂直材の揺れを防止して安定させることができる。
【発明を実施するための最良の形態】
【００２０】
＜雨樋取付構造の構成＞
以下に、本発明の第１の実施形態を図１〜図７に基づいて説明する。
【００２１】
図１、図２に示すように、本発明の雨樋取付構造１１は雨樋１２の吊金具１３を介して折板屋根１４の山部１４ａから吊下手段１５で下垂される雨樋取付構造である。
【００２２】
ここで、雨樋１２は断面凹形状で、上端部にそれぞれ屋外側雨樋吊部としての凹状の耳部１２ａと屋内側雨樋吊部としての凸状の耳部１２ｂとを備える。吊金具１３は中央部１３ｃが略水平で両端にかけて隆起し、両端部にフック状の耳保持部１３ａと耳保持部１３ｂが形成される。そして、雨樋１２は耳部１２ａと耳部１２ｂをそれぞれ吊金具１３の耳保持部１３ａと耳保持部１３ｂに保持された状態で吊下手段１５により折板屋根１４に下垂される。
【００２３】
前記吊下手段１５は垂直材１６と補強斜材１７から成り、前記垂直材１６は直径Ｒ＝９．５２５ｍｍ（ウイットネジＷ３／８）の全ネジ丸棒材で上端部１６ａと下端部１６ｂに形成された雄ネジ部１６ｃが前記吊金具１３の山部１４ａと中央部１３ｃを貫通し、それぞれ一対のナット１８で前記吊山部１４ａと金具１３に固定される。
【００２４】
ここで、山部１４ａの外側には前記垂直材１６が山部１４ａを貫通するための貫通孔１４ｃからの雨水の漏れを防止するとともに振動を吸収するためのパッキン１９が挿入される。
【００２５】
図３、図４、図５に示すように、前記補強斜材１７は厚さ２ｍｍの帯状板で形成される。斜主部材１７eに連結する上端部１７ａに備える水平部１７ｂは、前記山部に沿ってその一端１７ｃを前記垂直材１６の上端部１６ａから離れた位置で前記補強斜材の上端部１７ａと連結する。
【００２６】
そして、水平部１７ｂの他端１７ｄを前記垂直材１６の上端部１６ａ側に延設し、さらに前記他端１７ｄで折曲げられて前記補強斜材１７の上端部１７ａを越える位置１７ｆまで延設される。前記補強斜材１７の斜主部材１７eの下端部１７ｇには水平部１７ｈが設けられ、この水平部１７ｈの略中央部に孔２０とこの孔２０を囲むスリーブ材２０ａとを備える。
【００２７】
そして、前記孔２０に挿入される前記垂直材１６のできるだけ下方部分で水平部１７ｈの下部からナット２１を螺合して固定される。なお、ナット２１の締込力によって前記補強斜材１７が前記山部１４ａに押付けられるので、その反力でナット２１は水平部１７ｈの下部に圧着固定される。
【００２８】
前記補強斜材１７は幅Ｓ＝２５ｍｍの帯状材である。水平部１７ｂの全長Ｌ１＝５０ｍｍで、斜主部材１７eの延長線が水平部１７ｂと交わる点１７ｋは水平部１７ｂの長さの中点１７ｋであるので、中点１７ｋと位置１７ｆ間の長さＬ２＝２５ｍｍである。
【００２９】
水平部１７ｂと水平部１７ｈ間の垂直長さＨ１＝８２ｍｍ。水平部１７ｈの長さＬ３＝３３ｍｍ、下端部１７ｇから位置１７ｆまでの水平長さＬ４＝７６ｍｍで形成される。
【００３０】
スリーブ材２０ａは内径Ｐ１＝１０ｍｍで、高さＰ２≧ ４ｍｍ、スリーブ材２０ａの中心位置は水平部１７ｈの先端から長さＰ３＝１５ｍｍの位置で帯状材の幅Ｓの中心線上に設けられる。なお、スリーブ材２０ａによって垂直材１６をより安定して保持できるように高さＰ２は４ｍｍ以上できるだけ高く形成される。
【００３１】
前記吊下手段１５及び吊金具１３の材質は、強度を必要とするのでステンレスや亜鉛メッキをした金属が用いられる。
【００３２】
＜雨樋取付構造の作用＞
上記のように、雨樋に横方向に揺れる力が働いた場合でも前記補強斜材１７の水平部１７ｂの両端である他端１７ｄと位置１７ｆのどちらかが折板屋根１４の山部１４ａに当接する。
【００３３】
このため、吊下手段１５は前記垂直材１６と前記補強斜材１７によって折板屋根１４に実質的に二点支持されるため、吊下手段は雨樋の横方向に対して施工時や強風時でも揺れにくく且つ変形しにくくなり確実に安定することができる。
【００３４】
前記補強斜材１７の水平部１７ｂの幅Ｓが前記山部１４ａの内法と同じ幅Ｓ＝２５ｍｍで形成されるので、前記山部１４ａの内法によってガタがないように保持されるので、雨樋１２の縦方向に対する揺れが防止できる。
【００３５】
＜本発明の第２の実施形態＞
以下に、本発明の第２の実施形態を図５、図６、図７に基づいて説明する。なお、図２、図３、図４に示した構成と同じ構成部分については、図面に同符号を付して重複した説明を省略する。
【００３６】
図５、図６、図７に示すように、前記補強斜材１７の下端部１７ｇの水平部１７ｈは帯状板を連続的にコ字状にさらに上方に折曲げて水平部１７ｍが形成され、この二箇所の水平部（１７ｈ、１７ｍ）に前記孔２０が形成される。なお、上端部１７ａの水平部１７ｂは前記他端１７ｄが前記垂直材１６の上端部１６ａ近傍まで延設される。
【００３７】
前記補強斜材１７の下端部１７ｇから斜主部材１７の延長線が水平部１７ｂの延長線と交わる点１７ｋまでの水平長さＬ５＝５１ｍｍ。二箇所の水平部１７ｈと１７ｍ間の垂直高さＨ２＝４４ｍｍ、水平部１７ｈ、１７ｍのそれぞれの水平長さＬ３＝３３ｍｍである。
【００３８】
この形状であれば、上下二箇所の水平部１７ｈ、１７ｍによって前記垂直材１６の揺れを防止できるので吊下手段の揺れを確実に防止することができる。
【００３９】
なお、上端部１７ａの水平部１７ｂは前記他端１７ｄが前記垂直材１６の上端部１６ａ近傍まで延設されるが、第１の実施形態のように折曲げられない。この形状においても、雨樋に横方向に揺れる力が働いた場合、前記補強斜材１７の水平部１７ｂの両端である一端１７ｃと他端１７ｄのどちらかが折板屋根１４の山部１４ａに当接する。
【００４０】
このため、吊下手段１５は前記垂直材１６と前記補強斜材１７によって折板屋根１４に実質的に２点支持されるため、吊下手段は雨樋の横方向に対して施工時や強風時でも揺れにくく且つ変形しにくくなり確実に安定することができる。
【００４１】
以上、本発明の実施形態を図面に基づいて説明したが、上記の実施例はいずれも本発明の一例を示したものであり、本発明はこれらに限定されるべきでないということは言うまでもない。
【００４２】
たとえば、前記補強斜材１７の上端部１７ａの水平部１７ｂは前記他端１７ｄで折曲げられて前記補強斜材１７の上端部１７ａを越える位置１７ｆまで延設されるとともに、下端部１７ｇの水平部１７ｈは帯状板を連続的にコ字状に上方に折曲げて形成される構成でも構わない。この構成によれば、吊下手段は雨樋の横方向に対して、施工時や強風時でも揺れにくく且つ変形しにくくなりさらに確実に安定することができる。また、他の様々な断面形状を有する雨樋や吊金具に対しても上記実施例と同様の構成を実施することができる。
【図面の簡単な説明】
【００４３】
【図１】本発明の第１の実施形態における、雨樋取付構造１１の状態を示す一部透視斜視図である。
【図２】本発明の第１の実施形態における、図１のＡ−Ａ一部透視矢視図である。
【図３】本発明の第１の実施形態における、補強斜材１７の側面図である。
【図４】本発明の第１の実施形態における、図３のＢ−Ｂ矢視図である。
【図５】本発明の第２の実施形態における、雨樋取付構造１１ａの状態を示す一部透視側面図である。
【図６】本発明の第２の実施形態における、補強斜材１７Ｑの側面図である。
【図７】本発明の第２実施形態における、図６のＣ−Ｃ矢視図である。
【図８】従来の雨樋取付構造の状態を示す一部断面視側面図である。
【符号の説明】
【００４４】
１１  雨樋取付構造
１２  雨樋
１３  吊金具
１４  折板屋根
１４ａ  山部
１５  吊下手段
１６  垂直材
１６ａ  上端部
１７  補強斜材
１７ａ  上端部
１７ｂ  水平部
１７ｃ  一端
１７ｄ  他端
１７e  斜主部材
１７ｆ  位置
１７ｇ  下端部
１７ｈ  水平部
２０  孔
２０ａ  スリーブ材
【図１】
0004775031.tif 000002
【図２】
0004775031.tif 000003
【図３】
0004775031.tif 000004
【図４】
0004775031.tif 000005
【図５】
0004775031.tif 000006
【図６】
0004775031.tif 000007
【図７】
0004775031.tif 000008
【図８】
0004775031.tif 000009